(57)【要約】【課題】  光源から離れた部位における輝度の低下及び全体としての輝度ムラの発生を防止することができるように工夫した導光板を提供すること。【解決手段】  光源からの光を取り入れる導光部を備えた導光板において、上記導光部を除いた側面の全部又は一部を着色して光反射部としたものであり、側面を介して光が逃げることを防止することができ、それによって、光源から離れている場所における輝度を高めて、全体とし輝度ムラの発生を防止することができる。【選択図】  図２
2010140846.tif 000002
【特許請求の範囲】
【請求項１】
光源からの光を取り入れる導光部を備えた導光板において、
上記導光部を除いた側面の全部又は一部を着色して光反射部としたことを特徴とする導光板。
【請求項２】
請求項１記載の導光板において、
直方体形状であって薄板状をなしていて、一方の側面を導光部とし、該導光部を除く全ての側面を着色して光反射部としたことを特徴とする導光板。
【請求項３】
請求項２記載の導光板において、
直方体形状であって薄板状をなしていて、一方の側面を導光部とし、該導光部に対向する側面のみを着色して光反射部としたことを特徴とする導光板。
【請求項４】
請求項１〜請求項３の何れかに記載の導光板において、
上記光反射部は白色に着色されていることを特徴とする導光板。
【請求項５】
請求項１〜請求項４の何れかに記載の導光板において、
携帯電話のキー操作部のキーパッドの照明用に使用されるものであることを特徴とする導光板。
【発明の詳細な説明】
【技術分野】
【０００１】
本発明は、例えば、携帯電話のキー操作部においてキーパッドを裏面側から照明するために使用される導光板に係り、特に、光源から離れた場所における輝度の低下と全体としての輝度ムラの発生を防止することができるように工夫したものに関する。
【背景技術】
【０００２】
例えば、携帯電話のキー操作部においては、図４に示すような導光板１０１を図示しないキーパッドの裏面側に配置し、別途設置されたＬＥＤ（発光ダイオード）等の光源１０３、１０３を導光板１０１の一側面１０１ａ側に配置している。そして、上記光源１０３、１０３からの光を、この導光板１０１を介して上記キーパッドに当てて照明する構成が採用されている。
【０００３】
尚、この種の構成を開示するものとして、例えば、特許文献１がある。
【特許文献１】特開２００４−２９５１８７号公報
【発明の開示】
【発明が解決しようとする課題】
【０００４】
上記従来の構成によると次のような問題があった。
すなわち、図４に示すように、光源１０３、１０３からの光の一部が、導光板１０１の側面、すなわち、光源１０３、１０３が設置されている側の側面１０１ａ以外の側面１０１ｂ、１０１ｃ、１０１ｄから外部に逃げてしまうために（図４中矢印で示す）、導光板１０１の全体を均一に発光させることができず、図４（ａ）に示すように、輝度ムラが発生してしまうという問題があった。具体的には、光源１０３から離れる程輝度が低下してしまい、その結果、全体として輝度ムラが発生してしまうものである。このような場合には、キーパッドの一部（光源１０３、１０３から離れた部分）が見え難くなってしまう。この場合には、光源１０３、１０３から離れた部位の輝度に合わせて全体の輝度を低くする必要があった。
【０００５】
本発明はこのような点に基づいてなされたものでその目的とするところは、光源から離れた部位における輝度の低下及び全体としての輝度ムラの発生を防止することができるように工夫した導光板を提供することにある。
【課題を解決するための手段】
【０００６】
上記課題を解決するべく本願発明の請求項１による導光板は、光源からの光を取り入れる導光部を備えた導光板において、上記導光部を除いた側面の全部又は一部を着色して光反射部としたことを特徴とするものである。
又、請求項２による導光板は、請求項１記載の導光板において、直方体形状であって薄板状をなしていて、一方の側面を導光部とし、該導光部を除く全ての側面を着色して光反射部としたことを特徴とするものである。
又、請求項３による導光板は、請求項２記載の導光板において、直方体形状であって薄板状をなしていて、一方の側面を導光部とし、該導光部に対向する側面のみを着色して光反射部としたことを特徴とするものである。
又、請求項４による導光板は、請求項１〜請求項３の何れかに記載の導光板において、上記光反射部は白色に着色されていることを特徴とするものである。
又、請求項５による導光板は、請求項１〜請求項４の何れかに記載の導光板において、携帯電話のキー操作部のキーパッドの照明用に使用されるものであることを特徴とするものである。
【発明の効果】
【０００７】
以上述べたように本願発明の請求項１による導光板は、光源からの光を取り入れる導光部を備えた導光板において、上記導光部を除いた側面の全部又は一部を着色して光反射部としたことを特徴とするものであるので、側面を介して光が逃げることを防止することができ、それによって、光源から離れている場所における輝度を高めて、全体とし輝度ムラの発生を防止することができる。又、導光板全体としての輝度を高くすることができる。又、単に、側面を着色するだけであるので、作業も簡単であり、コストの大幅な上昇を来すこともない。
又、請求項２による導光板は、請求項１記載の導光板において、直方体形状であって薄板状をなしていて、一方の側面を導光部とし、該導光部を除く全ての側面を着色して光反射部とした構成になっているので、上記効果をより高いものとすることができる。
又、請求項３による導光板は、請求項１記載の導光板において、直方体形状であって薄板状をなしていて、一方の側面を導光部とし、該導光部に対向する側面のみを着色して光反射部とした構成になっているので、着色する領域が狭くなる分作業が簡単なものとなる。
又、請求項４による導光板は、請求項１〜請求項３の何れかに記載の導光板において、上記光反射部を白色に着色したものであり、上記効果をより確実に得ることができる。
尚、着色する色としては白色以外にも様々な色が考えられる。
又、請求項５による導光板は、請求項１〜請求項４の何れかに記載の導光板において、携帯電話のキー操作部のキーパッドの照明用に使用されるものであるので、キーパッドにおける視認性を高めることができる。
【発明を実施するための最良の形態】
【０００８】
以下、図１及び図２を参照して本発明の第１の実施の形態を説明する。この実施の形態は、本願発明を携帯電話のキーパッドの照明に適用した例を示すものである。図１に示すように、まず、基板１があり、この基板１には接点３、５が設けられている。
尚、図では基板１の一部についてのみ示している。
【０００９】
上記基板１上であって上記接点３、５に対応する位置にはドームコンタクト７が設置されている。このドームコンタクト７上にはアクリル系接着剤９を介してＰＥＴ粘着テープ１１が設置されている。上記ＰＥＴ粘着テープ１１の上には導光板１３が設置されていて、この導光板１３の下面側には表示部１５が設けられている。
【００１０】
上記導光板１３の上にはキーパッド１７が設置されている。又、上記導光板１３の一側面１３ａ側には光源１９、１９が設置されている。この実施の形態では光源としてＬＥＤ（発光ダイオード）を使用している。上記構成の内、導光板１３と光源１９、１９のみを抽出して図２に示す。本実施の形態における上記導光板１３は、薄板形状をなしていて、上記光源１９、１９が設置されている側の一側面１３ａ以外の側面１３ｂ、１３ｃ、１３ｄは白色に着色されている。具体的には、白色のＵＶインクをパット印刷法によって上記各側面１３ｂ、１３ｃ、１３ｄに塗布するものである。その厚みは１０μｍ程度である。図中着色部を斜線で示す。
【００１１】
以上本実施の形態によると次のような効果を奏することができる。
まず、光源１９、１９が設置されている側の一側面１３ａ以外の側面１３ｂ、１３ｃ、１３ｄは白色に着色されているので、それら側面１３ｂ、１３ｃ、１３ｄを介して光が逃げることを防止することができる。これは白色による光の拡散効果によるものであり、光は導光板１３内に拡散されていくものである。それによって、光源１９、１９から離れている場所における輝度の低下を防止して、全体として輝度ムラの発生を防止することができ、それによって、キーパッド１７の外側からの表示部１５の視認性を向上させることができる。
又、導光板１３全体としての輝度を高くすることができ、それによっても、キーパッド１７の外側からの表示部１５の視認性を向上させることができる。
又、この実施の形態の場合には、  光源１９、１９が設置されている側の一側面１３ａ以外の全ての側面１３ｂ、１３ｃ、１３ｄを白色に着色しているので、上記効果もより高いものとなる。
又、単に、側面１３ｂ、１３ｃ、１３ｄを白色に着色するだけであるので、作業も簡単であり、コストの大幅な上昇を来すこともない。
【００１２】
次に、図３を参照して本発明の第２の実施の形態を説明する。前記第１の実施の形態の場合には、光源１９、１９が設置されている側の一側面１３ａ以外の全ての側面１３ｂ、１３ｃ、１３ｄを白色に着色したが、この第２の実施の形態の場合には、光源１９、１９に対向・配置されている側の側面１３ｄのみを白色に着色したものである。
その他の構成は前記第１の実施の形態の場合と同様であり、図中同一部分には同一符号を付して示しその説明は省略する。
【００１３】
このような第２の実施の形態の場合にも、前記第１の実施の形態の場合に比べるとその効果は小さいが、それでも十分に略同様の効果を奏することができる。又、白色に着色する領域が狭くなるのでコストの低減を図ることができる。
【００１４】
尚、本発明は前記第１、第２の実施の形態に限定されるものではない。
例えば、着色する色としては白色に限定されるものではなく、白色以外にも様々なものが考えられる。
又、導光板の形状については様々なものが想定され、その形状に応じて任意の部位に白色等を着色すればよい。
白色等を着色する手段についてもこれを特に限定するものではなく、前記各実施の形態のようなインクの塗布以外にも、何らかの白色等の別部材を貼り付ける、等様々な手段が想定される。
又、白色等のインクについてもこれを特に限定するものではない。
その他、図示したものはあくまで一例である。
【産業上の利用可能性】
【００１５】
本発明は、例えば、キーパッドを裏面側から照明するために使用される導光板に係り、特に、輝度ムラの発生を防止することができるように工夫したものに関し、例えば、携帯電話のキー操作部におけるキーパッドの照明用の導光板に好適である。
【図面の簡単な説明】
【００１６】
【図１】本発明の第１の実施の形態を示す図で、携帯電話のキーパッドを照明するための構成を示す断面図である。
【図２】本発明の第１の実施の形態を示す図で、図１（ａ）は光源と導光板の平面図、図１（ｂ）は図１（ａ）のｂ−ｂ矢視図、図１（ｃ）は図１（ａ）のｃ−ｃ矢視図である。
【図３】本発明の第２の実施の形態を示す図で、図２（ａ）は光源と導光板の平面図、図２（ｂ）は図２（ａ）のｂ−ｂ矢視図、図２（ｃ）は図２（ａ）のｃ−ｃ矢視図である。
【図４】従来例を示す図で、図４（ａ）は光源と導光板の平面図、図４（ｂ）は図４（ａ）のｂ−ｂ矢視図、図４（ｃ）は図４（ａ）のｃ−ｃ矢視図である。
【符号の説明】
【００１７】
１３  導光板
１３ａ  側面
１３ｂ  側面
１３ｃ  側面
１３ｄ  側面  
１７  キーパッド
１９  光源
【図１】
2010140846.tif 000003
【図２】
2010140846.tif 000004
【図３】
2010140846.tif 000005
【図４】
2010140846.tif 000006